(57)【要約】      （修正有）【課題】食塩水から容易に次亜塩素酸水を生成し散布できる次亜塩素酸水生成装置を提供する。【解決手段】電気分解前後の液体を貯留する容器１と、容器の開放された一端１ａ及び他端１ｂに着脱自在に各々連結された噴射装置２及び次亜塩素酸発生ユニット３とを備え、次亜塩素酸発生ユニットの電極部は、シート状の隔膜と、隔膜の両面に配置されて多数の貫通孔を有する一対の電極と、隔膜及び電極を少なくとも部分的に包囲する電極ケースとを備え、食塩水の電気分解により容器内に高殺菌作用を有する次亜塩素酸水を生成する。【選択図】図１
0003227580.tif 000002
【実用新案登録請求の範囲】
【請求項１】
電気分解前又は後の液体を貯留する容器と、
容器の開放された一端に着脱自在に連結されて一端を塞ぐ蓋ユニットと、
容器の一端と反対側の開放された他端に着脱自在に連結された次亜塩素酸発生ユニットとを備え、
次亜塩素酸発生ユニットは、電極部と、液体を電気分解する電圧を電極部に印加する制御部とを備え、
電極部は、シート状の隔膜と、隔膜の両面に配置されて多数の貫通孔を有する一対の一方及び他方の電極と、隔膜並びに一方及び他方の電極を少なくとも部分的に包囲する電極ケースとを備え、
電極ケースは、一方の電極を容器の内部に液体接続させる開口を有する開口壁と、隔膜に対して開口壁の反対位置に、他方の電極に対向して設けられた閉鎖壁と、開口壁及び閉鎖壁に固定されて隔膜並びに一方及び他方の電極の周囲に設けられた包囲壁とを備えることを特徴とする次亜塩素酸水生成装置。
【請求項２】
一方の電極は、容器の内部に液体接続する陽極としての開放側電極であり、
他方の電極は、閉鎖壁に対向して配置された陰極としての閉鎖側電極であり、
容器は、食塩水の電気分解により生成された次亜塩素酸水を貯留する請求項１に記載の次亜塩素酸水生成装置。
【請求項３】
一方の電極は、容器の内部に液体接続する陰極としての開放側電極であり、
他方の電極は、閉鎖壁に対向して配置された陽極としての閉鎖側電極であり、
容器は、開放側電極に引き寄せられて隔膜外に放出された陽イオンと、水又は水の電気分解により生成された低濃度アルカリ水とを含む混合液を貯留する請求項１に記載の次亜塩素酸水生成装置。
【請求項４】
次亜塩素酸発生ユニットは、電極部と制御部とを分離して収容しかつ容器の他端に連結可能な開放端を有する筐体を備え、
制御部は、少なくとも電気分解の電源として機能する電池と、電池からの電圧を制御する処理装置が実装された基板とを備える請求項１〜３の何れか１項に記載の次亜塩素酸水生成装置。
【請求項５】
次亜塩素酸発生ユニットは、電極部と筐体との間に、電極部の上面よりも低位置に底部を有する空洞を備える請求項４に記載の次亜塩素酸水生成装置。
【請求項６】
電極ケースの内部には、閉鎖壁と、包囲壁から内側に突出する突出部と、他方の電極とによって、閉鎖空間が形成された請求項１〜５の何れか１項に記載の次亜塩素酸水生成装置。
【請求項７】
蓋ユニットは、
容器の内部の液体を外部に噴出する噴射装置、及び／又は、
容器の内部に蓄積した気体を排出する排気装置を備える請求項１〜６の何れか１項に記載の次亜塩素酸水生成装置。
【考案の詳細な説明】
【技術分野】
【０００１】
本考案は、食塩水から次亜塩素酸水を製造できる小型の次亜塩素酸水生成装置に関する。
【背景技術】
【０００２】
次亜塩素酸（HClO）水溶液（次亜塩素酸水）又は次亜塩素酸ナトリウム（NaClO）溶液により、細菌、ウイルス、真菌等を滅菌、殺菌及び消毒する方法が知られる。酸性の次亜塩素酸水は、酸化力が極めて強く高い殺菌効果を有するが、不安定で分解し易く長期間保存できない。次亜塩素酸水よりも酸化力は劣るが強い殺菌力を有する次亜塩素酸ナトリウム溶液は、市販されているが、酸と混合すると塩素ガスが発生し危険を伴う。また、市販の１２%次亜塩素酸ナトリウム溶液を、除菌消毒液として推奨される０.０１〜０.１%（１００〜１０００ppm）溶液に、一般家庭で希釈生成することは難しい。
【０００３】
隔膜で分離した二槽に各々配置した陽極及び陰極により、食塩水を電気分解して、陽極に酸性の次亜塩素酸水を生成する装置が知られる。このような装置は、大型化し高価である。また、目的生成物質の次亜塩素酸水を容器の隔膜で仕切る約半分量しか製造できず、生成効率が悪い。
【０００４】
特許文献１は、容器と、容器内で被電解水（食塩水）に浸漬される一対の電極と、液体を外部に吐出するスプレー装置とを備え、電気分解により次亜塩素酸を生成する電解水生成装置を示す。特許文献１の装置では、食塩と水道水から簡易に消毒液を製造でき、また、スプレー装置により製造直後に使用できる。
【０００５】
特許文献２は、隔膜と、隔膜の上下にそれぞれ配置された上部電極及び下部電極と、上部電極の上側及び下部電極の下側にそれぞれ積層された上部カバー及び下部カバーとを備え、上部及び下部電極はそれぞれ、多数の気孔と、突出した電極端子とを有する携帯型水素水製造装置を示す。
【先行技術文献】
【特許文献】
【０００６】
【特許文献１】特開２００３−９３４７９公報
【特許文献２】特開２０１５−１３１２９５公報
【考案の概要】
【考案が解決しようとする課題】
【０００７】
しかしながら、特許文献１の陽極及び陰極では、下記［化１］の反応がそれぞれ起こるが、特許文献１の装置は、単一槽内に陽極及び陰極の両方を配置するため、全体の溶液中では下記［化２］の反応が生じる。即ち、次亜塩素酸ナトリウム（NaClO）が生成され、強い酸化力の次亜塩素酸水を製造できない。また、特許文献１の容器の底には、残り少ない液体を吸い上げ易くする構造は無い。
【化１】
0003227580.tif 000003
【化２】
0003227580.tif 000004
【０００８】
特許文献２は、次亜塩素酸水製造装置ではなく、水素水製造装置である。このため、水素ガス（H２）が発生する陰極を上側に配置し、大容量の容器内の水に水素ガスが溶解し易く設計される。また、特許文献２の水素水製造装置では、隔膜下側に滞留した陽極付近の成分を有効利用しない。
【０００９】
本考案は、食塩水から容易に次亜塩素酸水を生成できる小型化した次亜塩素酸水生成装置の提供を目的とする。また、次亜塩素酸水を生成直後に噴射又は滴下使用できる次亜塩素酸水生成装置の提供を目的とする。更に、副生成物のアルカリ成分を有効利用できる次亜塩素酸水生成装置の提供を目的とする。
【課題を解決するための手段】
【００１０】
本考案の次亜塩素酸水生成装置(10,10’)は、電気分解前又は後の液体を貯留する容器(1)と、容器(1)の開放された一端(1a)に着脱自在に連結されて一端(1a)を塞ぐ蓋ユニット(7)と、容器(1)の一端(1a)と反対側の開放された他端(1b)に着脱自在に連結された次亜塩素酸発生ユニット(3)とを備える。次亜塩素酸発生ユニット(3)は、電極部(4)と、液体を電気分解する電圧を電極部(4)に印加する制御部(5)とを備える。電極部(4)は、シート状の隔膜(11)と、隔膜(11)の両面に配置されて多数の貫通孔(12a,13a)を有する一対の一方及び他方の電極(12,13)と、隔膜(11)並びに一方及び他方の電極(12,13)を少なくとも部分的に包囲する電極ケース(15)とを備える。電極ケース(15)は、一方の電極(12)を容器(1)の内部(1c)に液体接続させる開口(16a)を有する開口壁(16)と、隔膜(11)に対して開口壁(16)の反対位置に、他方の電極(13)に対向して設けられた閉鎖壁(17)と、開口壁(16)及び閉鎖壁(17)に固定されて隔膜(11)並びに一方及び他方の電極(12,13)の周囲に設けられた包囲壁(18)とを備える。
【００１１】
本考案では、蓋ユニット(7)及び次亜塩素酸発生ユニット(3)を連結した容器(1)の内部(1c)に収容した食塩水を電気分解して、強酸化物質の次亜塩素酸の水溶液を簡易かつ安全に製造できる。また、化学的に不安定で長時間保存できない次亜塩素酸水を蓋ユニット(7)の例えば噴射装置(2)により製造後すぐに使用できる。更に、次亜塩素酸水生成装置(10,10’)を洗浄しながら、アルカリ混合液を製造できる。
【考案の効果】
【００１２】
本考案の次亜塩素酸水生成装置では、装置全体を小型化し携帯及び持ち運びが可能である。また、家庭内にある食塩水を使用して簡易かつ短時間で、高殺菌効果の次亜塩素酸水を製造でき、製造後すぐに滴下又は噴射使用できる。例えば、室内の空間、壁、床、ドアノブ、リビングのソファ、カーテン、絨毯、テーブル、台所のシンク、三角コーナー、蛇口、排水口、調理器具のまな板、包丁、電化製品の冷蔵庫、洗濯機、風呂場のバスタブ、タイル、天井、足拭きマット、トイレの便座、便器、床、スリッパ、外出後の衣服、靴、帽子、ペット用品のゲージ、エサ入れ等、家庭内の様々な場所で、殺菌、除菌、消毒、消臭、感染防止のために、本考案の装置により生成した次亜塩素酸水を使用できる。また、副生成物を廃棄せずにアルカリ混合液を製造し油汚れ落としに有効利用できる。
【図面の簡単な説明】
【００１３】
【図１】本考案の第１の実施の形態による次亜塩素酸水生成装置を示す側面図
【図２】本考案の次亜塩素酸水生成装置を示す部分概略配置図
【図３】本考案の次亜塩素酸水生成装置の次亜塩素酸発生ユニットを示す平面図
【図４】本考案の次亜塩素酸水生成装置の電極部を示す縦断面図
【図５】本考案の第２の実施の形態による次亜塩素酸水生成装置を示す部分斜視図
【考案を実施するための形態】
【００１４】
本考案の次亜塩素酸水生成装置の実施の形態を図１〜図５について説明する。
【００１５】
図１に示すように、本考案の次亜塩素酸水生成装置(10)の第１の実施の形態は、電気分解の前又は後の液体を貯留する容器(1)と、開放された容器(1)の両端(1a,1b)に着脱自在に各々連結された蓋ユニット(7)及び次亜塩素酸発生ユニット(3)とを備える。容器(1)は、軽量で耐酸化性及び耐腐食性の金属、又はポリエチレン、ポリプロピレン、ポリ塩化ビニル、ポリエチレンテレフタレート等の樹脂を使用でき、特に内容量を目視できる透明又は半透明の樹脂が好ましい。図１に示すように、下方に滑らかに拡径する容器(1)は、外観上美しく起立時の安定性も良好である。
【００１６】
電気分解前の原料液体は、塩素イオンを含む電解質溶液であり、家庭で容易に入手できる食塩（塩化ナトリウムNaCl）を水に溶解した食塩水（塩化ナトリウム溶液）が好ましい。水は、水道水を使用でき、好適には、ミネラル成分が少ない略ｐＨ７の水、例えば精製水、イオン交換水である。電気分解後の液体は、次亜塩素酸（HClO）を主成分として含むｐＨ２〜７の次亜塩素酸水である。
【００１７】
筒状容器(1)の上下両端(1a,1b)は開放されて、上側の一端(1a)に、蓋ユニット(7)を構成する噴射装置(2)が連結され、下側の他端(1b)に次亜塩素酸発生ユニット(3)が連結される。連結手段は、容器内部(1c)の液体が漏出せずかつ取外し可能な公知の捩込み、ねじ留め、嵌合、係止部材、封止部材等の機構及び部材を使用する。図１は、容器(1)、噴射装置(2)及び次亜塩素酸発生ユニット(3)が互いに連結した状態を示し、次亜塩素酸発生ユニット(3)の底面は平坦形状であり、次亜塩素酸水生成装置(10)は安定して起立する。容器(1)が透明又は半透明である場合、図１のように、容器内部(1c)に配置された噴射装置(2)の導管(31)及びリザーバ(34)を目視できる。
【００１８】
図２は、次亜塩素酸発生ユニット(3)内の構成部材の配置について、説明を容易にするため概略的に示す。図３は、容器(1)から分離した円形状の次亜塩素酸発生ユニット(3)を、一方の電極(12)側から（上側から）見た平面図である。次亜塩素酸発生ユニット(3)は、電極部(4)と、液体を電気分解する正又は負の電圧を電極部(4)に印加する制御部(5)とを備える。図２及び図３の通り、次亜塩素酸発生ユニット(3)の筐体(23)は、例えば筐体(23)と一体に形成されて制御部(5)を液密封止する閉鎖壁(17)により、電極部(4)と制御部(5)とを二室分離して収容する。電極部(4)を閉鎖する閉鎖壁(17)と、二室分離する壁とを別部材で設けてもよい。筐体(23)の開放端(23a)は、容器(1)の他端(1b)に着脱自在に連結可能である。制御部(5)は、一対の電極(12,13)に電圧を印加する充電式又は非充電式の電池(25)と、電池(25)からの電圧を制御する処理装置が実装された基板(24)とを備える。基板(24)の電極部(4)側に１又は２以上の発光ダイオード(37)を設けて、発光色、点滅により、現行運転状態が通常運転モードか又はメンテナンスモードかを使用者に示す。
【００１９】
図４は、次亜塩素酸発生ユニット(3)の電極部(4)の縦断面図を示す。電極部(4)は、シート状又は平板状の平坦な隔膜(11)と、隔膜(11)の両面に配置されて多数の貫通孔(12a,13a)を有する一対の一方及び他方の電極(12,13)と、隔膜(11)及び一対の電極(12,13)を少なくとも部分的に包囲する電極ケース(15)とを備える。平坦な隔膜(11)及び電極(12,13)は、円形、楕円形、矩形又は多角形の何れでもよい。隔膜(11)には、高分子電解質膜又はイオン交換膜、特に電子不透過性のプロトン交換膜を使用でき、電極(12,13)には、チタン基体を白金で被覆したものを使用できる。電極ケース(15)は、一方の電極(12)を容器内部(1c)に液体接続させる開口(16a)を有する開口壁(16)と、隔膜(11)を挟み開口壁(16)の反対側で、他方の電極(13)に対向して設けられた閉鎖壁(17)と、開口壁(16)及び閉鎖壁(17)に接着、ねじ留め等により固定されて隔膜(11)及び一対の電極(12,13)の周囲に設けられた包囲壁としての側壁(18)とを備える。側壁(18)は、側壁(18)から内側方向に他方の電極(13)に沿って突出する突出部(18a)を備える。
【００２０】
図４に示す電極部(4)の電極ケース(15)には、閉鎖壁(17)と、側壁(18)から突出する突出部(18a)と、他方の電極(13)とによって、電極ケース(15)内に閉鎖空間（閉鎖区画）(19)が画定される。閉鎖空間(19)の容量は、容器(1)の内部(1c)に比べ極めて小さく、閉鎖空間(19)と、容器内部(1c)及び空洞(36)（図２）との容量比、即ち、他方の電極(13)側の容量と、一方の電極(12)側の容量との比は、１：１０〜２００である。本考案では、主生成物の次亜塩素酸水を収容する容器(1)を大容量化できると共に、副生成物が保留され得る閉鎖空間(19)を電極部(4)内に極小サイズで設け、有隔膜二槽式の装置全体を小型化でき、携帯型の次亜塩素酸水生成装置(10)を形成できる。閉鎖空間(19)は、他に積極的に繋がる連通路が存在しない。このため、他方の電極(13)で食塩水の電気分解により生成した陽イオン（ナトリウムイオン）を含むアルカリ成分は、隔膜(11)、閉鎖側電極(13)の貫通孔(13a)、及び／又は閉鎖空間(19)に滞留し、閉じ込められる。
【００２１】
次亜塩素酸水生成装置(10)の実施の形態では、図４の通り、一方の電極(12)は、容器内部(1c)に液体接続する開放側電極（上部電極）(12)であり、陽極として機能し、他方の電極(13)は、閉鎖壁(17)に対向して配置されて閉鎖空間(19)を画定形成する閉鎖側電極（下部電極）(13)であり、陰極として機能する。即ち、容器内部(1c)に収容された食塩水を電気分解するとき、開放側電極(12)は、導線(12b)を通じて正電圧が印加され、閉鎖側電極(13)は、導線(13b)を通じて負電圧が印加される。図４では、開放側電極(12)及び閉鎖側電極(13)を上下に配置するが、両電極を左右に又は傾斜させて配置してもよい。
【００２２】
外観上は図４と同一であるが、メンテナンスモードにおける実施の形態では、一方の電極(12)は、容器内部(1c)に液体接続する開放側電極（上部電極）(12)であり、陰極として機能し、他方の電極(13)は、閉鎖壁(17)に対向して配置されて閉鎖空間(19)を画定形成する閉鎖側電極（下部電極）(13)であり、陽極として機能する。この場合、容器(1)は、アルカリ混合液を製造するために投入された水及び／又はその水の電気分解により生成された低濃度アルカリ水と、開放側電極(12)に引き寄せられて閉鎖空間(19)側から隔膜(11)外に放出されナトリウムイオンとを含むアルカリ混合液を貯留する。
【００２３】
噴射装置（スプレー装置）(2)は、容器(1)上側の一端(1a)を液密に覆う蓋としても機能し、公知の噴射又は噴霧機構により、容器内部(1c)に収容された液体を外部に散布する。図１の噴射装置(2)は、容器(1)の一端(1a)を着脱可能に覆う樹脂製の本体(2a)と、本体(2a)から突出する噴射レバー(32)と、噴射レバー(32)を矢印(32a)方向に引きバネ力で元に戻るとき容器内部(1c)の液体を先端から吸引導入するチューブ状の導管(31)とを備える。また、噴射装置(2)は、導管(31)に流体接続されて液体を一旦蓄積するリザーバ(34)と、噴射レバー(32)を矢印(32a)方向引いてリザーバ(34)内の液体を霧状、直進状又は分散状に外部へ放出する噴射ノズル(33)とを備える。図示しないが導管(31)の先端にフィルタ機能を有するストレーナを設けてもよい。図１に示す本体(2a)の最小直径(d)は、２.０〜６.０cmが好ましい。これにより、本体(2a)を片手で持ち易く、片手保持しながら噴射レバー(32)を指で引くことができる。噴射レバー(32)を複数回引いて蓄圧及び蓄液した後、リザーバ(34)中の加圧された液体を徐々にバネ(34b)の力により押圧板(34a)で押出しながらリザーバ(34)中の液体が無くなるまで、連続的に噴射ノズル(33)から噴霧する、連続噴霧機構を噴射装置(2)に設けてもよい。蓋ユニット(7)を構成する噴射装置(2)の最上部には、容器内部(1c)に蓄積した気体を排出し圧力を放出する排気装置（図示せず）を設けてもよい。
【００２４】
本実施の形態では、図１のように、次亜塩素酸発生ユニット(3)の外面に電源ボタン(35)を備える。電源ボタン(35)は、押時間の長さ又は順序により、次亜塩素酸水を生成する通常運転モードと、通常運転モードとは逆の電圧を印加するメンテナンスモードと、電源オフとを切り替える。電源ボタン(35)の樹脂カバーを外すと、充電式の電池(25)に電力供給可能なUSBポート（図示せず）を設ける。
【００２５】
本考案の次亜塩素酸水生成装置(10)による通常運転モードでは、最初に、容器(1)の他端(1b)と筐体(23)の開放端(23a)とに形成された公知の連結機構（図示せず）により、半透明ポリエチレン製容器(1)を次亜塩素酸発生ユニット(3)に連結し、食塩とｐＨ７付近の水２００mlとを容器(1)内で混合して原料の食塩水を準備する。食塩水は、容器内部(1c)及び次亜塩素酸発生ユニット(3)の溝状の空洞(36)に満たされると共に、電極ケース(15)の開口(16a)、開放側電極(12)の貫通孔(12a)を通り、隔膜(11)に達する。隔膜(11)は、常圧で液体をほぼ通さないが、湿潤して陽イオンのナトリウムイオン及び水素イオンを通過させる。本実施の形態では、水２００mlに対し食塩量０.１〜０.４ｇが適量である。図１の通り、半透明の容器(1)外面に目盛(1d)を備えるため、正確な量の水を添加できる。
【００２６】
次に、容器(1)に対し蓋ユニット(7)としての噴射装置(2)で蓋をして、次亜塩素酸発生ユニット(3)の電源ボタン(35)を押す。開放側電極(12)に正電圧、閉鎖側電極(13)に負電圧を印加して、食塩水に浸漬された電極部(4)で通常運転モードの電気分解が開始される。印加電圧値は特に限定されないが１〜１０Vが好ましい。このとき、本実施の形態では、電極ケース(15)及び閉鎖壁(17)に透明又は半透明部材を用い、発光ダイオード(37)が、閉鎖壁(17)、電極ケース(15)、食塩水及び半透明容器(1)を通じて、発光色により通常運転モードを使用者に知らせる。
【００２７】
陽極の開放側電極(12)及び陰極の閉鎖側電極(13)ではそれぞれ、前記［化１］に示す化学反応が起こる。本考案による次亜塩素酸水生成装置(10)は、単一室ではなく、隔膜(11)で分画した二室構成のため、前記［化２］に示す次亜塩素酸ナトリウム（NaClO）の発生反応は殆ど起こらない。陰極の閉鎖側電極(13)によりナトリウムイオンを電気的に引き付け隔膜(11)で隔離するからである。陽極の開放側電極(12)では、前記［化１］により発生した塩素（Cl２）から、下記［化３］の化学反応式に従い、次亜塩素酸（HClO）を液体中で発生する。
【化３】
0003227580.tif 000005
【００２８】
電気分解を所定時間、例えば３分間実施した後、次亜塩素酸水生成装置(10)は自動停止する。陽極の開放側電極(12)に液体接続する容器内部(1c)には、生成した酸性の次亜塩素酸水が貯留した状態となる。本実施の形態では、噴射装置(2)を備えるため、生成した次亜塩素酸水を、蓋を開けずに外気接触させずそのまますぐに噴射使用できる。また、次亜塩素酸発生ユニット(3)の電極部(4)の外側と筐体(23)の内壁との間には、図２及び図３の通り、電極部(4)の上面(4a)よりも低位置に空洞(36)の底部(36b)を設ける。このため、噴射装置(2)の導管(31)の先端が、空洞(36)の深さ方向中域部(36a)又は底部(36b)に達し、使用により少量となった次亜塩素酸水を空洞(36)に貯めてほぼ残さず導管(31)から全て吸い上げる。
【００２９】
次に、次亜塩素酸水生成装置(10)のメンテナンスモードの動作を説明する。容器(1)内の生成した次亜塩素酸水を全て使用後、隔膜(11)、閉鎖側電極(13)、及び／又は閉鎖空間(19)には、電気分解により生成したアルカリ成分が残る。特に、閉鎖側電極(13)に接触する側の隔膜(11)の表面及び内部には、高濃度のナトリウムイオンが蓄積する。このとき、噴射装置(2)を容器(1)から外し、容器(1)が次亜塩素酸発生ユニット(3)に連結した状態で、容器(1)内に水を約２００ml注入する。
【００３０】
水を含む容器(1)に噴射装置(2)を連結した後、電源ボタン(35)を、通常運転モードと異なる所定時間、例えば１０秒間長押して、メンテナンスモードを起動し、開放側電極(12)に負電圧、閉鎖側電極(13)に正電圧を印加する。即ち、通常運転モードとは逆の電圧を印加し、水の電気分解を開始する。電気分解により、閉鎖側電極(13)側の隔膜(11)内部に滞留していたナトリウムイオンを含む高濃度アルカリ成分が、閉鎖側電極(13)から発生した酸素ガス（O２）の気泡と共に隔膜(11)から上昇浸出し、開放側電極(12)の貫通孔(12a)、開口壁(16)の開口(16a)を通じて、容器内部(1c)に導入される。同時に、閉鎖側電極(13)に付着したナトリウム成分を除去洗浄できる。導入されたナトリウムイオンは、容器(1)中の水と混合し、及び／又は水の電気分解により陰極の開放側電極(12)で発生した低濃度アルカリ水と混合し、アルカリ混合液を生成する。
【００３１】
通常運転モードとは異なる発光色、点滅パターンにより、発光ダイオード(37)から使用者にメンテナンスモードを知らせる。電圧印加を所定時間、例えば５分間継続した後、自動停止し、メンテナンスモードを終了する。生成したアルカリ混合液は、水酸化ナトリウムを含み、油汚れ用の洗浄剤として、噴射装置(2)により即座に使用でき、また、凸状の電極部(4)から窪む空洞(36)に貯留するアルカリ混合液を最後まで残さず導管(31)で吸い上げる。更に、本考案による次亜塩素酸水生成装置(10)は、容器(1)、噴射装置(2)及び次亜塩素酸発生ユニット(3)の３部材に容易に分解でき、使用後の乾燥作業が容易である。
【００３２】
前記実施の形態では、蓋ユニット(7)として噴射装置(2)を容器(1)に装着した次亜塩素酸水生成装置(10)（図１）を示したが、図５に示す第２の実施の形態では、蓋ユニット(7)としてキャップ(6)を容器(1)に装着した次亜塩素酸水生成装置(10’)を示す。キャップ(6)の上部(6a)には、容器内部(1c)に蓄積した気体を排出し圧力を放出する排気装置(8)を備える。排気装置(8)は、容器内部(1c)と外部とを連通する通気口(8a)を有し、例えば、通気口(8a)の連通を塞ぐように固定配置された気体透過性の樹脂膜(9)を設ける。また、通気口(8b)から気体を通し液体をほぼ通さない機構であれば、樹脂膜(9)ではなく、他の機械的な弁構造でも、小径の通気口(8a)のみでもよい。
【００３３】
図５の次亜塩素酸水生成装置(10’)の動作は、図１に示す次亜塩素酸水生成装置(10)の前記通常運転モード及びメンテナンスモードと同様であるが、次亜塩素酸水を生成後に噴射使用できないため、キャップ(6)を外し滴下使用する。キャップ(6)を噴射装置(2)に交換し噴射使用してもよい。また、次亜塩素酸水生成装置(10’)は、噴射レバー及び噴射ノズルが無いため、装置全体を小型化できる。
【産業上の利用可能性】
【００３４】
本考案の次亜塩素酸水生成装置は、家庭内だけでなく、飲食店や厨房及び食品工場での除菌・消臭、病院の待合室や診察室の感染予防・医療器具の滅菌、ペットショップでの除菌・消臭等、あらゆる場所に利用できる。
【符号の説明】
【００３５】
(1)・・容器、  (2)・・噴射装置、  (3)・・次亜塩素酸発生ユニット、  (4)・・電極部、  (5)・・制御部、  (10,10’)・・次亜塩素酸水生成装置、  (11)・・隔膜、  (12)・・一方の電極（開放側電極）、  (13)・・他方の電極（閉鎖側電極）、  (15)・・電極ケース、  (17)・・閉鎖壁、  (18)・・包囲壁（側壁）、  (19)・・閉鎖空間、  (23)・・筐体、  (24)・・基板、  (25)・・電池、
【図１】
0003227580.tif 000006
【図２】
0003227580.tif 000007
【図３】
0003227580.tif 000008
【図４】
0003227580.tif 000009
【図５】
0003227580.tif 000010